【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
イメージングサンプルを生成し、
トランスデューサ素子ごとに遅延を適用し、
前記生成において、前記遅延に従って、取得された時間サンプルを時間的にコヒーレントに合計する、画像サンプル取得回路であって、前記合計において使用される前記遅延が集合的に非フォーカスである、前記画像サンプル取得回路と、
画像をスパース化するように動作可能な圧縮センシングプロセッサと、
を有し、
前記スパース化は、前記生成されるイメージングサンプルに基づいて、及び単に前記イメージングサンプルによるだけでなく、前記イメージングサンプルを生成するための遅延がそれぞれ機能的に依存する角度にも基づいて、実施される、超音波イメージング装置。
【請求項２】
前記プロセッサは、前記イメージングサンプルに応じて、許容誤差閾値を超えない最もスパースな画像を与えるように構成される、請求項１に記載の超音波イメージング装置。
【請求項３】
前記超音波イメージング装置によって、前記画像を取得するために媒体とインタロゲートする超音波トランスデューサアレイを更に有し、前記プロセッサは、前記媒体内のフィールドポイントにフォーカスするために、一方のマトリクスの内容が圧縮規定において前記画像を表現する２つのマトリックスの積である第１のマトリクスの第１のｐ−ノルムを最小化するように動作し、前記最小化は、測定マトリクスと、画像基底から測定基底への変換マトリクス、画像表現辞書マトリクス及び圧縮基底の画像を表現するマトリクスの積と、の間の差の第２のｐ−ノルムが許容誤差閾値を越えないという制約を受け、前記測定マトリクスは、前記生成されるイメージングサンプルによって占められ、ｐは、前記第１及び前記第２のｐ−ノルムについて異なり又は同じである、請求項１に記載の超音波イメージング装置。
【請求項４】
前記遅延は、前記イメージング素子の個々のものの横方向位置に直接比例する、請求項１に記載の超音波イメージング装置。
【請求項５】
前記アレイは軸方向位置を有し、前記横方向は、前記軸方向位置に垂直である、請求項４に記載の超音波イメージング装置。
【請求項６】
前記適用は、記憶された時間サンプルのそれぞれのものに対して行われ、前記取得される時間サンプルは、記憶された時間サンプルの一部である、請求項１に記載の超音波イメージング装置。
【請求項７】
入射超音波を検知するようにそれぞれが動作する超音波トランスデューサ素子のアレイであって、前記超音波イメージング装置が、前記検知に基づいてそれぞれの時間サンプルを生成するよう構成される、アレイと、
前記記憶される時間サンプルとして、前記生成された時間サンプルを記憶するストレージメモリと、
を更に有する、請求項６に記載の超音波イメージング装置。
【請求項８】
前記画像サンプル取得回路は、加算器を有し、前記適用は、前記イメージング素子のすべてに対して行われ、前記超音波イメージング装置は、前記合計のための前記加算器を使用し、前記生成のための前記合計は、前記イメージング素子の各々について前記遅発されたサンプルを加算する、請求項７に記載の超音波イメージング装置。
【請求項９】
前記アレイは、超音波トランスデューサ素子のより大きい物理アレイのサブアレイである、請求項７に記載の超音波イメージング装置。
【請求項１０】
前記画像を漸進的にスパンするよう前記生成を繰り返し実施するように構成される、請求項７に記載の超音波イメージング装置。
【請求項１１】
前記イメージングサンプルを生成するための前記遅延のそれぞれのものの大きさに対応する前記イメージング素子の個々のものからの偏差の空間パターンは、方向を有し、前記遅延は、前記イメージングサンプルのそれぞれを生成するように、前記方向によって変化する、請求項１０に記載の超音波イメージング装置。
【請求項１２】
単一フレームを形成するために、単一の送信を放出することと、漸進的にスパンするために前記生成を実施することを、繰り返し交互に実施し、前記画像取得が、前記フレームについて、少なくとも４つの送信と、それぞれ異なる方向を有する少なくとも３２の異なるパターンとを必要とするように、前記交互の実施が続行する、請求項１１に記載の超音波イメージング装置。
【請求項１３】
前記インタロゲートは、エコーとして前記入射超音波を生成するために、非フォーカスの超音波ビームを送信することを含み、前記遅延されるべきサンプルは、前記入射超音波に基づく、請求項７に記載の超音波イメージング装置。
【請求項１４】
前記送信を使用して及び送信として多くとも３つの他の超音波ビームを使用して画像フレームを取得するように更に構成される、請求項１３に記載の超音波イメージング装置。
【請求項１５】
前記送信は、前記画像フレームを取得するために放出される単一送信である、請求項１４に記載の超音波イメージング装置。
【請求項１６】
前記画像は、前記イメージングサンプルを生成する際に使用される前記記憶された時間サンプルとして記憶される時間サンプルに対応する、請求項１に記載の超音波イメージング装置。
【請求項１７】
前記プロセッサは更に、前記圧縮センシングによって規定されるフィールドポイント上にフォーカスする圧縮センシングを適用するように構成される、請求項１に記載の超音波イメージング装置。
【請求項１８】
前記遅延のそれぞれの大きさに対応する、前記イメージング素子の個々のものからの偏差の空間パターンは、前記イメージングサンプルを生成するための前記角度のうちの或る角度を表し、前記プロセッサは更に、前記スパース化のために、前記角度に基づいて圧縮基底から測定基底への変換マトリクスのエントリを得るように構成される、請求項１に記載の超音波イメージング装置。
【請求項１９】
前記プロセッサは、前記スパース化のために、前記角度のそれぞれの異なるものから計算されるものである前記エントリの１つにアクセスするように更に構成される、請求項１８に記載の超音波イメージング装置。
【請求項２０】
フーリエ変換プロセッサを更に有し、前記超音波イメージング装置は、前記画像サンプル取得回路からのイメージングサンプルにフーリエ変換を適用し、前記圧縮センシングプロセッサは、前記画像を再構成するように前記変換されたサンプルの中のサンプルに処理を行うように構成される、請求項１に記載の超音波イメージング装置。
【請求項２１】
ヒルベルト変換プロセッサを更に有し、前記超音波イメージング装置は、前記画像サンプル取得回路からのイメージングサンプルにヒルベルト変換を適用し、前記圧縮センシングプロセッサは、前記画像を再構成するために前記変換されたサンプルの中のサンプルに処理を行うように構成される、請求項１に記載の超音波イメージング装置。
【請求項２２】
イメージングサンプルを生成するステップと、
トランスデューサ素子ごとに遅延を適用するステップと、
前記生成の際に、前記遅延に従って、前記取得された時間サンプルを合計するステップであって、前記合計において使用される前記遅延は、集合的に非フォーカスである、ステップと、
前記生成するステップにおいて生成されるイメージングサンプルに基づいて、及び単に前記イメージングサンプルによるだけでなく、前記イメージングサンプルを生成するための前記遅延が機能的に依存する角度に基づいて、画像をスパース化するステップと、
を含む、超音波イメージング方法。
【請求項２３】
超音波イメージングのためのコンピュータ可読媒体であって、前記コンピュータ可読媒体は、複数のステップを行うためにプロセッサによって実行可能な命令を有するプログラムを具体化し、前記複数のステップは、
イメージングサンプルを生成するステップと、
トランスデューサ素子ごとに遅延を適用するステップと、
前記生成の際に、前記遅延に従って、前記取得された時間サンプルを合計するステップであって、前記合計において使用される前記遅延は、集合的に非フォーカスである、ステップと、
前記生成するステップにおいて生成されるイメージングサンプルに基づいて、及び単に前記イメージングサンプルによるだけでなく、前記イメージングサンプルを生成するための前記遅延がそれぞれ機能的に依存する角度に基づいて、画像をスパース化するステップと、
を含む、コンピュータ可読媒体。